(57)【要約】  無線局１００は、データパケットＤ１，Ｄ２を受信し、応答ＡＣＫ，Ｎを送信する。前記無線局は、受信信号品質の示度ＣＱＩをも送信する。受信信号品質の示度ＣＱＩが送信される時間は、肯定応答ＡＣＫ又は否定応答Ｎのような、送信される応答のタイプに依存する。
2009530947.tif 000002
【特許請求の範囲】
【請求項１】
無線局を動作する方法において、
データパケットを受信するステップと、
前記受信されたデータパケットを復号するステップと、
前記復号の結果に依存して、複数の応答信号の１つを選択するステップと、
前記選択された応答信号及び受信信号品質の示度を送信するステップと、
前記複数の応答信号のいずれが送信されるかに依存するように前記受信信号品質の示度の送信時間を制御するステップと、
を有する方法。
【請求項２】
前記複数の応答信号が、前記データパケットが成功裏に復号された場合に送信される肯定応答と、前記データパケットが不成功に復号された場合に送信される否定応答とを有し、前記方法が、肯定応答が送信される場合に否定応答が送信される場合より遅い前記受信信号品質の示度の送信時間を選択するステップを更に有する、請求項１に記載の無線局を動作する方法。
【請求項３】
前記否定応答が、前記受信信号品質の示度を有する、請求項２に記載の無線局を動作する方法。
【請求項４】
複数の受信されたデータパケット間の平均時間間隔に依存して前記より遅い送信時間を選択するステップを有する、請求項２又は３に記載の無線局を動作する方法。
【請求項５】
前記受信信号品質が所定の基準に適合する場合に前記受信信号品質の示度の送信を控えるステップを有する、請求項１ないし４のいずれか一項に記載の無線局を動作する方法。
【請求項６】
前記所定の基準が、
前記受信信号品質が所定の品質閾値より下であること、
前記受信信号品質が所定の時間期間内に所定の量より多くは変化しないこと、
の１つである、請求項５に記載の方法。
【請求項７】
第１の無線局及び第２の無線局を有する通信システムを動作する方法において、請求項１ないし６のいずれか一項に記載の方法によって前記第１の無線局を動作するステップと、前記第２の無線局において、
前記第１の無線局にデータパケットを送信するステップと、
前記応答信号及び前記受信信号品質の示度を受信し、前記応答信号に依存して、他のデータパケットを送信する又は以前に送信されたデータパケットを再送信するための送信フォーマットを選択するのに前記受信信号品質の示度を使用するステップと、
を有する方法。
【請求項８】
データパケットを受信する受信器手段と、
前記受信されたデータパケットを復号する復号器手段と、
前記復号の結果に依存して、複数の応答信号の１つを選択するセレクタ手段と、
前記選択された応答信号を送信し、受信信号品質の示度を送信する送信器手段と、
前記複数の応答信号のいずれが送信されるかに依存するように前記受信信号品質の示度の送信時間を制御するように構成される制御手段と、
を有する無線局。
【請求項９】
前記セレクタ手段が、前記データパケットが成功裏に復号された場合に肯定応答を選択し、前記データパケットが不成功に復号された場合に否定応答を選択するように構成され、前記制御手段が、肯定応答が送信される場合に否定応答が送信される場合より遅い前記受信信号品質の示度の送信時間を選択するように構成される、請求項８に記載の無線局。
【請求項１０】
前記否定応答及び前記受信信号品質の示度を同じ送信信号に符号化するように構成された符号化器手段を有する、請求項９に記載の無線局。
【請求項１１】
前記制御手段が、複数の受信されたデータパケット間の平均時間間隔に依存して前記より遅い送信時間を選択するように構成される、請求項９又は１０に記載の無線局。
【請求項１２】
請求項８ないし１１のいずれか一項に記載の第１の無線局及び第２の無線局を有する通信システムにおいて、前記第２の無線局が、
前記第１の無線局にデータパケットを送信する送信器手段と、
前記応答信号及び前記受信信号品質の示度を受信する受信器手段と、
前記応答信号に依存して、他のデータパケットを送信する又は以前に送信されたデータパケットを再送信するための送信フォーマットを選択するのに前記受信信号品質の示度を使用するように構成されるセレクタ手段と、
を有する、システム。
【発明の詳細な説明】
【技術分野】
【０００１】
本発明は、無線局を動作する方法、通信システムを動作する方法、無線局及び通信システムに関する。
【背景技術】
【０００２】
ＵＭＴＳ（ユニバーサル・モバイル・テレコミュニケーション・システム）及びｃｄｍａ２０００のような移動体通信システムにおいて、チャネル品質インジケータ（ＣＱＩ）報告は、移動局（ＭＳ）から基地局（ＢＳ）に送信され、前記ＢＳがダウンリンクデータ伝送に対する適切な伝送フォーマット（例えば変調及び符号化方式）を選択するのを支援し、及び／又は前記ＢＳが異なるＭＳに対してデータ伝送をスケジューリングするのを支援する。
【０００３】
ＣＱＩ報告を伝送する以下の機構、すなわち、
ａ）周期的報告の開始時に前記ＭＳにシグナリングメッセージを送信し、前記報告の周期が変更されるべきであるか又は前記報告が終了される場合に他のシグナリングメッセージを送信することにより、規則的な周期的ＣＱＩ報告（例えばＵＭＴＳの高速ダウンリンクパケットアクセス（ＨＳＤＰＡ）において２ｍｓ毎ないし１６０ｍｓ毎）を送信するように前記ＭＳを構成すること、
ｂ）各受信されたデータパケットの後に単一のＣＱＩ報告を送信するように前記ＭＳを構成すること、
ｃ）各否定応答されたデータパケットの後に単一のＣＱＩ報告を送信するように前記ＭＳを構成すること、
ｄ）前記ＭＳから単一の１回限りのＣＱＩ報告を要求するためにシグナリングメッセージを使用すること、
が既知である。
【発明の開示】
【発明が解決しようとする課題】
【０００４】
本発明の目的は、改良された信号品質報告を提供することである。
【課題を解決するための手段】
【０００５】
本発明の第１の態様によると、無線局を動作する方法であって、データパケットを受信するステップと、前記受信されたデータパケットを復号するステップと、前記復号の結果に依存して、複数の応答信号の１つを選択するステップと、前記選択された応答信号及び受信信号品質の示度（indication）を送信するステップと、前記複数の応答信号のいずれが送信されるかに依存するように前記受信信号品質の示度の送信時間を制御するステップとを有する方法が提供される。
【０００６】
本発明は、時変チャネルにおいて、適応変調及び符号化の効率的な使用及び効率的なダウンリンクスケジューリングが、最新のチャネル品質情報を必要とし、幾つかの通信システムにおける送信データパケット間の間隔が、前記復号の結果に依存して異なることができ、前記復号の結果に依存して前記ＣＱＩ報告の送信時間を適合させることにより効率が改良されることができるという理解に基づく。
【０００７】
本発明の第２の態様によると、第１の無線局及び第２の無線局を有する通信システムを動作する方法であって、本発明の第１の態様の方法によって前記第１の無線局を動作するステップと、前記第２の無線局において、前記第１の無線局にデータパケットを送信するステップと、前記応答信号及び前記受信信号品質の示度を受信するステップと、前記応答信号に依存して、他のデータパケットを送信する又は以前に送信されたデータパケットを再送信するための送信フォーマットを選択するのに前記受信信号品質の示度を使用するステップとを有する方法が提供される。
【０００８】
本発明の第３の態様によると、データパケットを受信する受信器手段と、前記受信されたデータパケットを復号する復号器手段と、前記復号の結果に依存して複数の応答信号の１つを選択するセレクタ手段と、前記選択された応答信号を送信し、受信信号品質の示度を送信する送信器手段と、前記複数の応答信号のいずれが送信されるかに依存するように前記受信信号品質の示度の送信時間を制御するように構成される制御手段とを有する無線局が提供される。
【０００９】
本発明の第４の態様によると、本発明の第３の態様による第１の無線局及び第２の無線局を有する通信システムであって、前記第２の無線局が、前記第１の無線局にデータパケットを送信する送信器手段と、前記応答信号及び前記受信信号品質の示度を受信する受信器手段と、前記応答信号に依存して他のデータパケットを送信する又は以前に送信されたデータパケットを再送信するための送信フォーマットを選択するために前記受信信号品質の示度を使用するセレクタ手段とを有する、通信システムが提供される。
【００１０】
オプションとして、前記複数の応答信号は、前記データパケットが成功裏に復号された場合に送信される肯定応答と、前記データパケットが不成功に復号された場合に送信される否定応答とを有し、肯定応答が送信される場合に否定応答が送信される場合より遅い時間が前記受信信号品質の示度の送信に対して選択される。これは、新しいデータパケットの送信より早く再送信が行われることができる又は行われやすい通信システムにおいて有利であることができ、前記受信信号品質の示度のより遅い送信時間は、前記示度が、前記新しいデータパケットが送信される時間に対応する信号品質をより信頼できる形で表わすことを可能にする。
【００１１】
オプションとして、前記否定応答は、前記受信信号品質の示度を有し、すなわち前記否定応答及び前記受信信号品質の示度は、同じ送信信号に結合される。これは、２つの別の信号を送信するより少ないシグナリングオーバヘッドを要する点で有利であることができる。
【００１２】
オプションとして、肯定応答が送信される場合の前記受信信号品質の前記より遅い送信時間は、複数の受信されるデータパケット間の平均時間間隔に依存する。これは、前記より遅い送信時間が、主なトラフィック状態に適合させることを可能にすることにより有利であることができる。
【００１３】
オプションとして、前記無線局は、前記受信信号品質が所定の基準に適合する場合に前記受信信号品質の示度の送信を控えることができる。これは、信号品質情報があまり有用でない場合に送信されるシグナリングの量を減少することにより有利であることができる。前記所定の基準は、第１の例として、前記受信信号品質が所定の品質閾値より低い場合、又は第２の例として、前記受信信号品質が所定の時間期間内に所定の量以上には変化しない場合でありうる。
【００１４】
本発明は、添付の図面を参照して、例によって、ここに記載される。
【発明を実施するための最良の形態】
【００１５】
図１を参照すると、第１の無線局１００及び第２の無線局２００を有する通信システムのブロック概略図が示される。
【００１６】
第１の無線局１００は、第２の無線局２００により送信されるデータパケットを受信する受信器４０を有する。受信器４０は、アンテナ４５に結合された入力部と、前記受信されたデータパケットを復号する復号器５０に結合された出力部とを有する。復号されたデータは、前記復号器の出力部５５において供給される。復号器５０の出力部に結合されるのは、前記復号の結果に依存して、複数の応答の１つを選択するように構成されたセレクタ６０である。例えば、前記復号が成功である場合、セレクタ６０は、肯定応答を選択することができるのに対し、前記復号が例えばエラーにより不成功である場合、セレクタ６０は、否定応答を選択することができる。セレクタ６０の出力部は、符号化器６５の入力部に結合され、符号化器６５は、前記応答を符号化し、第２の無線局２００に対するアンテナ４５を介する送信のために前記符号化された応答を送信器７０に供給する。信号品質測定装置７５は、受信器４０の出力部に結合され、受信信号の品質を測定し、ＣＱＩ報告のような受信信号品質の示度を生成する。前記受信信号品質の示度は、前記受信信号品質の示度が第２の無線局２００に対する送信器７０を介する送信のために符号化される符号化器６５に供給される。信号品質測定装置７５は、コントローラ８０に結合され、前記コントローラは、セレクタ６０に結合される。コントローラ８０は、いずれの応答がセレクタ６０により選択されるかに依存して前記受信信号品質の示度の送信時間を制御するように構成される。前記送信のタイミングは、以下に詳細に記載される。
【００１７】
オプションとして、符号化器６５は、否定応答及び受信チャネル品質の示度を同じ送信信号に結合するように構成されてもよい。
【００１８】
オプションとして、コントローラ８０は、複数の受信されたデータパケット間の平均時間間隔を測定し、前記測定された平均値に依存して受信信号品質の示度の送信時間を選択するように構成される。
【００１９】
第２の無線局２００は、送信用データを受信する入力部１０と、前記送信用データを符号化する符号化器１５とを有する。符号化器１５の出力部は、送信器２０の入力部に結合され、前記送信器の出力部は、アンテナ２５に結合される。アンテナ２５に結合され、第１の無線局１００から応答信号及び受信信号品質の示度を受信する受信器３０が存在する。受信器３０及び符号化器１５に結合され、受信された応答信号に依存して、以前に送信されたデータパケットが再送信されるべきか又は新しいデータパケットが送信されるべきかを決定するように構成されるセレクタ３５が存在する。セレクタ３５は、データパケットの送信のために送信フォーマット、例えば変調及び／又は符号化を選択するために前記受信された受信信号品質の示度を使用するように更に構成される。
【００２０】
図２を参照すると、第２の無線局２００により送信されたデータパケット（Ｄ１及びＤ２で示される）、並びに第１の無線局１００により送信される応答（ＡＣＫ及びＮで示される）及び受信信号品質の示度（ＣＱＩで示され、以下ＣＱＩ報告と称される）が存在する。
【００２１】
ＣＱＩは、チャネル状態、チャネル伝達関数、到来の角度、チャネルインパルス応答又は経路損失のような、無線チャネルの１以上の特性の示度を追加的に又は代替的に有しうる。
【００２２】
データパケットＤ１は、時間t0において送信される。データパケットＤ１は、成功裏に復号され、これに応答して、肯定応答ＡＣＫが、時間t1において送信される。この後に、時間t2において、ＣＱＩ報告が送信される。前記ＡＣＫ及び前記ＣＱＩは、第２の無線局２００により受信され、第２の無線局２００は、前記ＣＱＩ報告に依存して選択された送信フォーマットを使用して時間t3において新しいデータパケットＤ２を送信する。データパケットＤ２は、不成功に受信され、これに応答して否定応答Ｎが時間t4において送信される。この後に、時間t5において、ＣＱＩ報告が送信される。時間t6において、第２の無線局２００は、データパケットＤ２を再送信する。データパケットＤ２の第２の送信は、成功裏に復号され、したがって、それぞれ時間t1及びt2における前記ＡＣＫ及びＣＱＩ報告に対応する形で、肯定応答ＡＣＫが時間t7において送信され、ＣＱＩ報告は時間t8において送信される。
【００２３】
図２は、正しいスケールで描かれることを意図されないが、Ｄ２の第１の送信とＤ２の再送信との間の遅延（t6-t3）は、Ｄ１の第１の送信とＤ２の第１の送信との間の遅延（t3-t0）より短いことに注意する。この典型的な通信システムにおいて、一般に、データパケットの再送信は、新しいデータパケットより早く送信に使用可能である。したがって、時間t5に送信された前記ＣＱＩ報告は、否定応答Ｎの後に比較的早く（t5-t4）送信されるのに対し、時間t2に送信された前記ＣＱＩ報告は、肯定応答ＡＣＫの後に比較的遅く（t2-t1）送信される。このようにＣＱＩ報告の送信時間を変更することにより、第２の無線局２００におけるＣＱＩ報告の受信とデータパケットの次の送信との間の時間遅延が短いことを保証することが可能であり、これにより前記データパケットが送信される場合に前記ＣＱＩ報告がチャネル状態を厳密に表すことを可能にする。
【００２４】
オプションとして、遅延t2-t1は、（t3-t0のような）複数の受信されたデータパケット間の平均時間間隔の測定に基づいて、動的に選択されることができる。この平均時間間隔の測定は、第１の無線局１００において行われてもよく、又は第２の無線局２００において測定され、第１の無線局１００に送信されてもよい。
【００２５】
オプションとして、第２の無線局２００からの新しいデータパケットの送信は、周期的であってもよく、すなわち、新しいデータパケットの送信間の時間間隔は一定である。このように取り決められた送信は、例えば、"ヴォイス・オーバ・インターネット・プロトコル"（ＶｏＩＰ）サービスを実行するのに使用されることができる。このような例において、前記受信されたデータパケット間の平均時間間隔は、各受信されたデータパケット間の時間間隔と等しい。
【００２６】
オプションとして、遅延t2-t1は、より短い時間だけ短い上記の平均時間間隔に等しく、前記より短い時間は、前記以前のデータパケットに対して行われた再送信の数に関連しうる。
【００２７】
オプションとして、否定応答Ｎ及びＣＱＩ報告は、同じ信号に結合され、送信されることができる。このオプションは、図３に示され、前記結合された否定応答及びＣＱＩ報告がＮ／Ｑで示されている。これは、第１の無線局１００により送信されるシグナリングの量を減少し、（時間t6における）図２におけるＤ２の再送信より早く起こるように（時間t5において）図３におけるＤ２の再送信を可能にすることにより遅延が減少されることを可能にすることができる。
【００２８】
オプションとして、第１の無線局１００は、前記受信信号品質が所定の基準に適合する場合に前記受信信号品質の示度の送信を控えることができる。これは、結果として減少されたシグナリング及び増大されたシステム効率を生じることができる。第１の例として、前記所定の基準は、前記受信信号品質が所定の品質閾値より下に落ちることであることができ、この場合、第２の無線局２００は、チャネル状態が変化するまでデータパケットの送信を延期することができ、データを送信する異なる送信先を選択することができる。第２の例として、前記所定の基準は、前記受信信号品質が特定の時間期間に所定の量より多く変化しないことであることができ、この場合、第２の無線局２００は、以前に使用された送信フォーマットを使用し続けることができる。前記特定の時間期間は、例えば、第２の無線局２００により第１の無線局１００にシグナリングされた時間期間であってもよく、又はＣＱＩ報告の以前の送信から経過した時間であってもよい。
【００２９】
上記の実施例は、２つの異なる応答信号、肯定及び否定応答を使用する。しかしながら、本発明は、２より多い応答信号とともに使用されることもでき、例えば、再送信される必要がある可能性があるデータパケットの異なる部分を示す異なる応答が使用されてもよい。これに対応して、異なる遅延期間が、応答信号のタイプによって前記ＣＱＩ報告を送信するために使用されてもよい。
【００３０】
上記実施例は、成功及び不成功の復号をそれぞれ示す２つの異なる応答信号、肯定及び否定応答を使用する。成功及び不成功の定義はシステムに依存する。例えば、成功は、復号後に残っている残留ビットエラーを持たないデータパケットを示すことができるのに対し、不成功は、復号後に残っている残留ビットエラーを示すことができる。しかしながら、一部の応用例において、わずかな残留ビットエラーは許容可能であってもよく、したがって成功と見なされてもよい。
【００３１】
本発明は、基地局から移動局、又は移動局から基地局、又はピアノード間のデータパケット伝送に対して適用可能である。
【００３２】
本明細書及び請求項において、要素に先行する単語"１つの"は、複数のこのような要素の存在を除外しない。更に、単語"有する"は、記載された要素又はステップ以外の要素又はステップの存在を除外しない。請求項における括弧内の参照符号の包含は、理解を助けることを意図され、限定することを意図されない。
【００３３】
本開示を読むことにより、他の修正例が当業者に明らかである。このような修正例は、無線通信の分野において既知であり、ここに既に記載されたフィーチャの代わりに又は加えて使用されることができる他のフィーチャを含みうる。
【図面の簡単な説明】
【００３４】
【図１】通信システムのブロック概略図である。
【図２】データパケット、応答及びＣＱＩ報告の送信を示すタイミング図である。
【図３】データパケット、応答及びＣＱＩ報告の送信を示す他のタイミング図である。
【図１】
2009530947.tif 000003
【図２】
2009530947.tif 000004
【図３】
2009530947.tif 000005
【国際調査報告】
2009530947.tif 000006
2009530947.tif 000007